(57)【要約】【課題】様々なデザインの軒樋に対応するとともに、軒樋の形状が変形していたり、寸法にばらつきがある場合であっても確実に固定して切断ができる軒樋切断治具を提供する。【解決手段】軒先側の上端部に前耳部８１と鼻隠し板側の上端部に後耳部８２を有する軒樋８の長手方向の所定位置での切断に使用する軒樋切断治具１であって、前壁部３と後壁部４と底壁部２とを有し、前壁部の上端部には軒樋の前耳部を把持する前耳把持部２１が設けられ、後壁部には、その外面側に、上下方向にスライド可能に支持された後耳把持スライド片部７が設けられ、後耳把持スライド片部の上端部には軒樋の後耳部を把持する後耳把持部７１が設けられており、軒樋の前耳部を前耳把持部で把持させた状態で、前壁部、後壁部及び底壁部の内面側に軒樋の外周部を当接させ、後耳把持スライド片部を下方にスライドさせて、上端部の後耳把持部で軒樋の後耳部を把持させることで軒樋に固定させる。【選択図】図１
2018016951.tif 000002
【特許請求の範囲】
【請求項１】
軒先側の上端部に前耳部と鼻隠し板側の上端部に後耳部を有する軒樋の長手方向の所定位置での切断に使用する軒樋切断治具であって、
前壁部と後壁部と底壁部とを有し、前記前壁部の上端部には前記軒樋の前耳部を把持する前耳把持部が設けられ、
前記後壁部には、その外面側に、上下方向にスライド可能に支持された後耳把持スライド片部が設けられ、前記後耳把持スライド片部の上端部には前記軒樋の後耳部を把持する後耳把持部が設けられており、
前記軒樋の前耳部を前記前耳把持部で把持させた状態で、前記前壁部、後壁部及び底壁部の内面側に前記軒樋の外周部を当接させ、前記後耳把持スライド片部を下方にスライドさせて、上端部の後耳把持部で前記軒樋の後耳部を把持させることで、前記軒樋に固定させることを特徴とする軒樋切断治具。
【請求項２】
前記後耳把持スライド片部と前記後壁部には、前記後耳把持スライド片部のスライド位置の固定とその解除を可能とするスライド調整部が設けられていることを特徴とする請求項１に記載の軒樋切断治具。
【請求項３】
前記スライド調整部は、前記後耳把持スライド片部と、これに対向する後壁部の外面に設けられた係止片と被係止片との係合による固定とその解除によるものであることを特徴とする請求項２に記載の軒樋切断治具。
【請求項４】
前記後耳把持スライド片部には、固定を解除する摘みが設けられていることを特徴とする請求項２又は３に記載の軒樋切断治具。
【発明の詳細な説明】
【技術分野】
【０００１】
本発明は、軒樋切断治具に関する。
【背景技術】
【０００２】
従来より、軒樋の長手方向を任意位置で切断する際に、軒樋の長手方向の所定位置に位置決めして軒樋切断治具を取り付け、この軒樋切断治具に設けた切断ガイド部に切断刃をガイドさせて切断することが知られている（例えば、特許文献１）。
【０００３】
図４、図５及び図６は、特許文献１の軒樋切断治具９の概要を示している。まず、前壁部上端の耳部８１と後壁部上端部の耳部８２とを有する断面略Ｕ字状の軒樋８について、その長手方向の切断位置を決める。位置決めされた所定位置において、軒樋８の外周面には、図４のように、軒樋切断治具９の治具本体９１が嵌合される。
【０００４】
この嵌合では、軒樋８の耳部８１、８２を治具本体９１の耳把持部９２、９３が把持するようにしている。治具本体９１には一方の側縁に沿った切断ガイド部９４が設けられている。そして、切断ガイド部９４は、切断具の切断ガイド当て面９４ａを有している。
【０００５】
軒樋８の外周面への治具本体９１の取り付け嵌合では、摘み部９５を摘んで治具本体９１を押し広げるようにして嵌合させる。軒樋切断治具９は、以上の治具本体９１とともに、図５に示した弾性クリップ具９６を別体として備えている。
【０００６】
軒樋８への軒樋切断治具９の取り付けでは、前記のとおりに、軒樋８へ治具本体９１を嵌合させた後に、図６に示したように、弾性クリップ具９６を装着する。例えば、治具本体９１の耳把持部９２によって軒樋８の耳部８１を把持させた状態で、弾性クリップ具９６により挟持する。
【０００７】
そして、この挟持した状態で切断ガイド部９４の切断刃のガイド当て面９４ａに沿って切断刃を当てて軒樋８を長手方向に対して直角方向に切断する。
【先行技術文献】
【特許文献】
【０００８】
【特許文献１】特開２００５−３２４４１２号公報
【発明の概要】
【発明が解決しようとする課題】
【０００９】
しかしながら、従来の上記特許文献１に記載された軒樋切断治具９では、治具本体９１とは、別途に用意した弾性クリップ具９６を用いて両者を挟持することにより、軒樋８と軒樋切断治具９を堅固に取り付ける必要があった。すなわち、軒樋８と軒樋切断治具９を堅固に取り付けるための特別な補助具が必要であった。
【００１０】
一方、近年では軒樋８のデザインが多様化しており、軒樋８の深さ、即ち耳部の高さも様々なものがある。このような軒樋８に対して特許文献１の軒樋切断治具９を用いる場合、治具本体９１と弾性クリップ具９６の形状及び寸法が決まっているため、切断する軒樋８のデザインに応じて用意する必要があった。
【００１１】
また、軒樋８の形状が変形していたり寸法にばらつきがある場合には、安定して固定することができないという問題があった。
【００１２】
本発明は、上記従来の問題点に鑑みてなされたものであり、様々なデザインの軒樋に対応するとともに、軒樋の形状が変形していたり、寸法にばらつきがある場合であっても形状を補正し、確実に固定して切断ができる軒樋切断治具を提供することを課題とする。
【課題を解決するための手段】
【００１３】
本発明は、上記の課題を解決するために、以下のことを特徴としている。
【００１４】
すなわち、本発明の軒樋切断治具は、軒先側の上端部に前耳部と鼻隠し板側の上端部に後耳部を有する軒樋の長手方向の所定位置での切断に使用する軒樋切断治具であって、前壁部と後壁部と底壁部とを有し、前記前壁部の上端部には前記軒樋の前耳部を把持する前耳把持部が設けられ、前記後壁部には、その外面側に、上下方向にスライド可能に支持された後耳把持スライド片部が設けられ、前記後耳把持スライド片部の上端部には前記軒樋の後耳部を把持する後耳把持部が設けられており、前記軒樋の前耳部を前記前耳把持部で把持させた状態で、前記前壁部、後壁部及び底壁部の内面側に前記軒樋の外周部を当接させ、前記後耳把持スライド片部を下方にスライドさせて、上端部の後耳把持部で前記軒樋の後耳部を把持させることで、前記軒樋に固定させることを特徴とする。
【発明の効果】
【００１５】
本発明によれば、様々なデザインの軒樋に対応するとともに、軒樋の形状が変形していたり、寸法にばらつきがある場合であっても形状を補正し、確実に固定して切断ができる軒樋切断治具を提供することが可能となる。
【図面の簡単な説明】
【００１６】
【図１】本発明の軒樋切断治具の一実施形態の斜視図である。
【図２】本発明の軒樋切断治具の一実施形態の断面図であり、（Ａ）は軒樋を固定前の状態、（Ｂ）は固定した状態を示す。
【図３】図２に示す軒樋切断治具のＡ−Ａ断面図である。
【図４】従来の軒樋切断治具の治具本体に軒樋を嵌合させた状態を示す概略断面図である。
【図５】従来の軒樋切断治具の弾性クリップ具を示す概略図である。
【図６】従来の軒樋切断治具の耳把持部を軒樋の耳部に把持した状態で弾性クリップ具で挟持した状態を示す一部拡大図である。
【発明を実施するための形態】
【００１７】
本発明の軒樋切断治具について図面に基づいて以下に詳述する。図１は、本発明の軒樋切断治具の一実施形態の斜視図であり、図２（Ａ）は、図１の軒樋切断治具において軒樋の固定前の状態を示しており、（Ｂ）は固定した状態を示している。
【００１８】
軒樋切断治具１は、軒先側の上端部に前耳部８１と鼻隠し板側の上端部に後耳部８２を有する軒樋８の長手方向の所定位置での切断に使用するものである。
【００１９】
軒樋切断治具１は、前壁部３と後壁部４と底壁部２とを有し、前壁部３の上端部には軒樋８の前耳部８１を把持する前耳把持部２１が設けられている。また、後壁部４には、その外面側に、上下方向Ｘにスライド可能に支持された後耳把持スライド片部７が設けられ、後耳把持スライド片部７の上端部には、軒樋８の後耳部８２を把持する後耳把持部７１が設けられている。
【００２０】
そして、軒樋８の前耳部８１を前耳把持部２１で把持させた状態で、前壁部３、後壁部４及び底壁部２の内面側に軒樋８の外周部を当接させ、後耳把持スライド片部７を下方にスライドさせる。これにより、上端部の後耳把持部７１で軒樋８の後耳部８２を把持させることで軒樋８に固定させる。
【００２１】
本実施形態の軒樋切断治具１は、前壁部３と後壁部４と底壁部２が一体に形成されて治具本体５を形成している。治具本体５の内面側は、切断する軒樋８の外周面と一致して嵌合する形状となっている。また、治具本体５における前壁部３及び底壁部２の両側面には切断ガイド部６が設けられており、その側面には切断刃のガイド当て面６１が形成されている。切断ガイド部６を治具本体５の両側面に設けることにより、使用者のきき腕に応じていずれかのガイド当て面６１を選択して利用することができる。
【００２２】
また、治具本体５の前壁部３の上端部には前耳把持部２１が設けられている。前耳把持部２１は軒樋８の前耳部８１を確実に把持できるように、引掛けて係止可能なフック状に形成されている。
【００２３】
さらに、治具本体５の後壁部４には、後耳把持スライド片部７が上下方向Ｘにスライド可能に支持されて設けられている。図３は図２（Ｂ）の軒樋切断治具１の一実施形態のＡ−Ａ断面図を示している。後耳把持スライド片部７の両側の内面側には、後壁部４の両側を抱え込むように支持する鉤状の支持部７２が設けられており、後耳把持スライド片部７を後壁部４の上端部から差し込むことにより、後壁部４から外れない状態で上下方向Ｘにスライド可能としている。
【００２４】
なお、後壁部４の後耳把持スライド片部７が取り付けられる部分の両側の幅は、底壁部２の幅と切断ガイド部６の幅を合わせた幅の寸法よりも一段狭く形成されている。これにより、後耳把持スライド片部７を取り付けた状態で後耳把持スライド片部７の側面と切断刃のガイド当て面６１が面一になるようになっている。
【００２５】
また、後壁部４の両側には、支持部７２が掛る幅の切り欠き部４２が設けられており、軒樋８と接する面、即ち、後壁部４と後耳把持スライド片部７の支持部７２の内面側が面一になるようになっている。
【００２６】
後耳把持スライド片部７の上端部には後耳把持部７１が設けられており、後耳把持部７１は軒樋８の後耳部８２を上方から押さえ付けて把持できるように、フック状に形成されている。
【００２７】
本実施形態の軒樋切断治具１を構成する材料としては、所期の目的を達成するものであれば特に限定されるものではないが、軒樋切断治具１に対する軒樋８の嵌合を容易にするために、少なくとも治具本体５が弾性を持って設けられる可撓性を有する材料、例えば、ステンレス、アルミ等の金属材料や、塩化ビニル樹脂、ＡＢＳ樹脂等の可撓性樹脂材料を用いることができる。
【００２８】
本実施形態の軒樋切断治具１においては、後耳把持スライド片部７と後壁部４に、後耳把持スライド片部７のスライド位置の固定とその解除を可能とするスライド調整部５１が設けられていることが好ましい。また、スライド調整部５１による固定と解除は、後耳把持スライド片部７とこれに対向する後壁部４の外面に設けられた係止片７３と被係止片４１との係合による固定とその解除によるものであることが好ましい。
【００２９】
本実施形態の軒樋切断治具１のスライド調整部５１において、後壁部４の後耳把持スライド片部７と対向する面に設けられる被係止片４１は、図２（Ａ）、（Ｂ）に示すように、上方向が傾斜して下部に返しを有する楔状に形成されている。被係止片４１は少なくとも１つ以上所定の間隔を置いて設けることができる。また、後耳把持スライド片部７の後壁部４と対向する面に設けられる係止片７３は、下方向が傾斜して上部に返しを有する楔状に形成されている。
【００３０】
図２（Ａ）、（Ｂ）に示す実施形態の軒樋切断治具１では、被係止片４１が上下に２個設けられており、上の被係止片４１により後壁部４からの後耳把持スライド片部７の脱落を防止し、下の被係止片４１と係止片７３により後耳部８２を把持して固定している。
【００３１】
このような構造により、後耳把持スライド片部７を後壁部４の上端部から下方に差し込み、後壁部４の被係止片４１が後耳把持スライド片部７の係止片７３を乗り越えると、上方にスライドさせても互いの返し部が当接して上方向へのスライドが制限される。これにより、後耳把持スライド片部７の後耳把持部７１が軒樋８の後耳部８２を上方から押さえて密着した状態で保持させることができ、軒樋８を確実に固定することが可能となる。
【００３２】
また、本実施形態の軒樋切断治具１においては、後耳把持スライド片部７に、スライド位置の固定を解除する摘み７５を設けることが好ましい。
【００３３】
摘み７５は、図１、図２（Ａ）、（Ｂ）、図３に示すように、後耳把持スライド片部７の係止片７３が形成された面とは反対側の面に突出するように設けられている。また、摘み７５の両側には上方に向けてスリット７４が形成されており、下端部に摘み７５を備えた舌片７６が形成されている。舌片７６の材質は可撓性を有する材料であれば制限されることはなく、例えば、ステンレス、アルミ等の金属材料や、塩化ビニル樹脂、ＡＢＳ樹脂等の可撓性樹脂材料を用いることができる。なお、もちろん後耳把持スライド片部７全体を舌片７６と同様の材質により形成することもできる。
【００３４】
摘み７５を手前に引くと舌片７６が撓り、摘み７５の反対側の面に設けられた係止片７３と被係止片４１の係止を外すことができる。これにより、簡単に後耳把持スライド片部７の上方へのスライドの固定を解除することができる。
【００３５】
本実施形態の軒樋切断治具１を用いて軒樋８を切断する場合、軒樋切断治具１を所定位置に位置決めして軒樋８に嵌合させて取り付ける。その際、予め後耳把持スライド片部７を上方にスライドさせた状態で、軒樋８の前耳部８１を前壁部３の前耳把持部２１に嵌合させ、その状態で治具本体５の内面側に軒樋８の外周面を一致させて嵌合させる。
【００３６】
次に、後耳把持スライド片部７を下方にスライドさせ、後耳把持スライド片部７の後耳把持部７１により軒樋８の後耳部８２を上方から押さえて固定する。この際、後耳把持スライド片部７に設けられたスライド調整部５１により固定状態が保持される。
【００３７】
このように、軒樋８の後耳部８２の固定が後耳把持スライド片部７のスライドにより行われるため、様々なデザインの軒樋８に対応するとともに、軒樋８の形状が変形していたり寸法にばらつきがある場合であっても確実に固定することができる。また、スライド調整部５１により上方からの押さえの弛みを防止することができるため、軒樋８の固定をより確実なものにすることができる。
【００３８】
さらに、軒樋８の切断後に軒樋切断治具１を取り外す時には、摘み７５を手前に引くことにより後耳把持スライド片部７の固定を解除することができ、軒樋８からの取り外しを容易に行うことができる。また、上記のように後耳把持スライド片部７の固定の解除が容易であるため、軒樋８の長手方向の微妙な取付位置調整ができ、正確な位置での切断を行うことが可能となる。
【００３９】
このように本実施形態の軒樋切断治具１によれば、軒樋８への取り付けのための特別な補助具を用いることなく、軒樋８への取り付け、取り外し、切断位置の変更を容易に行うことができ、しかも軒樋８の寸法にバラツキがあっても確実に取り付けて切断作業を行うことができる。
【００４０】
以上、本発明の軒樋切断治具１を一実施形態に基づいて説明したが、本発明は上記の実施形態に限定されるものではなく、その要旨を逸脱しない範囲内において種々の変形、変更が可能である。
【００４１】
例えば、図２（Ａ）、（Ｂ）に示す実施形態の軒樋切断治具１では、後壁部４の被係止片４１を上下に２個設けているが、１個あるいは３個以上設けることもできる。被係止片４１を３個以上設けることにより、後耳部８２の高さが異なる様々なデザインの軒樋８の切断に対応する軒樋切断治具１とすることができる。
【００４２】
また、上記実施形態のスライド調整部５１では、係止片７３と被係止片４１を突出した楔状の形状の組み合わせとしたが、係止片７３又は被係止片４１の何れかを一方の楔状の突起が引っ掛かる切り欠き状の係止用溝部とすることもできる。
【００４３】
さらに、係止片７３に替えて、舌片７６を貫通するようにピンネジ状部材を設けて、このピンネジ状部材のねじ込みにより、被係止片４１とピンネジ状部材、或いは係止用溝部とピンネジ状部材との組み合わせにより係止して固定することもできる。
【符号の説明】
【００４４】
１  軒樋切断治具
２  底壁部
３  前壁部
４  後壁部
４１  被係止片
７  後耳把持スライド片部
７１  後耳把持部
７３  係止片
７５  摘み
８  軒樋
８１  前耳部
８２  後耳部
【図１】
2018016951.tif 000003
【図２】
2018016951.tif 000004
【図３】
2018016951.tif 000005
【図４】
2018016951.tif 000006
【図５】
2018016951.tif 000007
【図６】
2018016951.tif 000008